(57)【要約】【課題】  電極を一辺にのみ有する液晶セルの導電ゴムが配置されない側の端部が下方に落ち込むのを防止する。【解決手段】  液晶セル１の電極側の端部を導電ゴム３と液晶セル支持枠２の上端部に設けられた庇部２ａとで挟持し、液晶セル１の導電ゴム３と対向する側の端部を液晶セル支持枠２の上端部に設けられた庇部２ｂと内壁に設けられた鍔部２ｃとで挟持する。これにより、液晶セル１が液晶セル支持枠２に確実に固定され、外部から衝撃が加わった際にも液晶セル１が複合回路４側に落ち込むことはなく、液晶セル１と導電ゴム３との導通が確保される。【選択図】  図１
2005283505.tif 000002
【特許請求の範囲】
【請求項１】
液晶セル一端部の下面側に配置される導電ゴムにて当該液晶セルを支持する構造であって、少なくとも、一端部に電極を有する液晶セルと、当該液晶セルが有する電極と接続されると共に当該液晶セルを下面側から支持する導電ゴムと、前記液晶セルを収納する枠体とを有し、
前記液晶セルの電極を有する側の端部は、前記枠体の上端部に設けられた第一の庇部と前記導電ゴムとで挟持され、前記液晶セルの前記導電ゴムと対向する側の端部は、前記枠体の上端部に設けられた第二の庇部と前記枠体の内壁部に設けられた鍔部とで挟持されている事を特徴とする時計の液晶セル支持構造。
【請求項２】
液晶セル一端部の下面側に配置される導電ゴムにて当該液晶セルを支持する構造であって、少なくとも、一端部に電極を有する液晶セルと、当該液晶セルが有する電極と接続されると共に当該液晶セルを下面側から支持する導電ゴムと、前記液晶セルを収納する枠体とを有し、
前記液晶セルの電極を有する側の端部は、前記枠体の上端部に設けられた庇部と前記導電ゴムとで挟持され、前記液晶セルの前記導電ゴムと対向する側の端部は、前記液晶セルを上面側から押圧する液晶セル押え板と前記枠体の内壁部に設けられた鍔部とで挟持されている事を特徴とする時計の液晶セル支持構造。
【請求項３】
前記鍔部の一端部には傾斜面が設けられている事を特徴とする請求項１、又は２に記載の時計の液晶セル支持構造。
【発明の詳細な説明】
【技術分野】
【０００１】
本発明は、時計の液晶セル支持構造に関するものである。
【背景技術】
【０００２】
現在、表示部に液晶セルを用いた時計が良く知られている。この液晶セルは、時計のモジュール内に組み込まれており、通常、導電ゴムを介して駆動回路との導通がなされている。
【０００３】
図３は、従来技術による時計の液晶セル支持構造を示す要部断面図である。液晶セル１は、時計の表示領域側に上面を向けて配置されており、液晶セル支持枠２により前後左右の位置決めがなされている。液晶セル１は、上側基板１ａの一端部に電極（不図示）が引き出されており、その電極部分に導電ゴム３の上端部が当接することにより、液晶セル支持枠２の下面側に配置された複合回路（駆動回路）４との電気的導通がなされている。
【０００４】
導電ゴム３は、複合回路４との電気的導通を取るためだけのものではなく、その抗力により液晶セル１を下面側から押圧して液晶セル支持枠２の上端部に設けられた庇部２ａに押し付け、固定する役割を担っている。これにより、液晶セル１が時計モジュール（液晶セル支持枠２）内で水平に支持され、時計の表示領域に対して良好な表示状態が維持される。
【０００５】
液晶セル１は、導電ゴム３による抗力だけである程度の支持はなされているが、外部から衝撃などが加わった際には、それだけでは支持が保てなくなり、液晶セル１の導電ゴム３が配置されていない側の端部が複合回路４側に落ち込んでしまう。このように、液晶セル１の落ち込みが発生すると外観的に問題があるだけでなく、液晶セル１の電極と導電ゴム３との導通も不安定となる。
【０００６】
そのため、液晶セル１の導電ゴム３と対向する側の端部は、図に示すようにスペーサー５等により下面側を支持するようになっている。このスペーサー５は、例えばゴム等の弾性体からなり、複合回路４上、もしくはその周辺に配置される。（例えば、特許文献１参照）
【０００７】
このように、従来技術による時計の液晶セル支持構造では、液晶セル１の複合回路４側への落ち込みをスペーサー５により防止している。
【特許文献１】実開昭５５−２８９０３号公報
【発明の開示】
【発明が解決しようとする課題】
【０００８】
以上説明したように、従来では液晶セルが落ち込まないように複合回路と液晶セルとの間にスペーサーを配置し、液晶セル下面を支持するようにしていた。しかし、この方法では部品の点数が増えてしまう上、複合回路上のスペーサーを配置する領域、もしくはその周辺には他の部品が配置できない等の問題があった。時計の小型化が進む中でこういった問題は重大であり、解決すべき課題である。
【０００９】
本発明は、このような問題点に鑑みてなされたものであり、部品点数を増やすことなく、液晶セルを時計モジュール内にて安定して支持する構造を提供することを目的とする。
【課題を解決するための手段】
【００１０】
少なくとも、一端部に電極を有する液晶セルと、当該液晶セルが有する電極と接続されると共に当該液晶セルを下面側から支持する導電ゴムと、前記液晶セルを収納する枠体とを有し、
前記液晶セルの電極を有する側の端部は、前記枠体の上端部に設けられた第一の庇部と前記導電ゴムとで挟持され、前記液晶セルの前記導電ゴムと対向する側の端部は、前記枠体の上端部に設けられた第二の庇部と前記枠体の内壁部に設けられた鍔部とで挟持されている時計の液晶セル支持構造とする。
【００１１】
少なくとも、一端部に電極を有する液晶セルと、当該液晶セルが有する電極と接続されると共に当該液晶セルを下面側から支持する導電ゴムと、前記液晶セルを収納する枠体とを有し、
前記液晶セルの電極を有する側の端部は、前記枠体の上端部に設けられた庇部と前記導電ゴムとで挟持され、前記液晶セルの前記導電ゴムと対向する側の端部は、前記液晶セルを上面側から押圧する液晶セル押え板と前記枠体の内壁部に設けられた鍔部とで挟持されている時計の液晶セル支持構造とする。
【００１２】
前記鍔部の一端部には傾斜面が設けられている時計の液晶セル支持構造とする。
【発明の効果】
【００１３】
本発明によれば、液晶セルの導電ゴムと対向する側の端部を、液晶セル支持枠内壁部に一体的に形成された鍔部にて下面側から支持することにより、部品点数を増やすことなく、液晶セルを時計モジュール内にて安定して支持することが可能となる。これにより、外部から衝撃が加わった際にも、液晶セルに位置ずれが起きず、導電ゴムとの確実な導通を保つことができる。
【発明を実施するための最良の形態】
【００１４】
液晶セルの端部を、液晶セル支持枠上端部に設けられた２つの庇部と、液晶セル下面側に配置される導電ゴムおよび液晶セル支持枠内壁部に設けられた鍔部とで挟持することにより、液晶セルを時計モジュール内に確実に固定することが可能となる。
【実施例１】
【００１５】
図１は、本発明による時計の液晶セル支持構造の一実施例を示す要部断面図である。尚、従来と同じ部分には同符号を付してある。液晶セル１は、液晶セル支持枠２により前後左右の位置決めがされており、上側基板１ａの電極（不図示）を有する側の端部に導電ゴム３の上端部が当接することにより、液晶セル支持枠２の上端部に設けられた庇部２ａ（第一の庇部）に下側から押圧固定されている。
【００１６】
液晶セル支持枠２は、前記上端部とは別の上端部に庇部２ｂ（第二の庇部）を有しており、そこに液晶セル１の導電ゴム３と対向する側の端部上面が当接している。そのため、外部から衝撃が加わった際であっても、液晶セル１の導電ゴム３と対向する側の端部が上方へ飛び出すことはない。
【００１７】
更に、液晶セル支持枠２内壁部の導電ゴムと対向する側には、鍔部２ｃが液晶セル支持枠２と一体的に形成されており、液晶セル１の導電ゴム３と対向する側の端部下面に当接している。そして、この鍔部２ｃと液晶セル支持枠２上端部に設けられた庇部２ｂとで液晶セル１の導電ゴム３と対向する側の端部上下面を挟持するようになっており、これにより、液晶セル１の一端部が液晶セル支持枠２に確実に固定されるため、液晶セル１が複合回路４側へ落ち込むことはなく、更に液晶セル１に外部から衝撃が加わった場合でも液晶セル１に位置ずれ等が起きず導電ゴム３との導通が確実に保たれる。
【００１８】
液晶セル支持枠２の内壁部に設けられた鍔部２ｃは、その一端部に傾斜面２ｄを有している。これは、液晶セル１の液晶セル支持枠２への組み込みを容易にするためのものであり、液晶セル１を液晶セル支持枠２に組み込む際には、まず液晶セル１の導電ゴム３と対向する側の端部を庇部２ｂと鍔部２ｃとの隙間に入れ込む。この時には液晶セル１全体を傾け、液晶セル１の導電ゴム３と対向する側の端部を庇部２ｂに向かって下から突き上げるようにして入れ込むが（図においては）、庇部２ｂと鍔部２ｃとの隙間は、液晶セル１が確実に挟持固定されるように液晶セル１の厚さとほぼ同一に設計されているため、鍔部２ｃの一端部に傾斜面２ｄがないと、組み込む際に液晶セル１下面と鍔部２ｃの先端が不要に接触し、それが障害となって液晶セル１の組込みが円滑に行えない。強引に組み込もうとすれば、液晶セル１の端部に負荷が掛かり、液晶セル１が破損する可能性がある。
【００１９】
そのため、鍔部２ｃの一端部（先端部）に傾斜面２ｄを設けて液晶セル１下面と鍔部２ｃの先端が不要に接触しないようにし、組込みが円滑に行えるようにしている。尚、傾斜面２ｄの傾斜角度は、液晶セル１の厚さ等に応じて適宜選択すればよい。
【００２０】
そして、液晶セル１の導電ゴム３と対向する側の端部を庇部２ｂと鍔部２ｃとの隙間にある程度入れ込んだ状態で、液晶セル１の電極側の端部を落とし込むようにして液晶セル支持枠２内に入れ込む。
【実施例２】
【００２１】
図２は、本発明による時計の液晶セル支持構造の別の実施例を示す要部断面図である。実施例１では、液晶セル１の導電ゴム３と対向する側の端部上面を液晶セル支持枠２の上端部に一体的に形成された庇部２ｂにて押えていたのに対し、本実施例２では、液晶セル１上面に配置される液晶セル押え板６の一端部６ａにて押える構造としている。液晶セル押え板６は、端部にフック部６ｂを有しており、このフック部６ｂが液晶セル支持枠２下方に配置された電池支持枠７の外側面に設けられた突起部７ａと係合することにより、液晶セル１の導電ゴム３と対向する側の端部を上面から押圧するようになっている。
【００２２】
このように、液晶セル１を液晶セル押え板６により上面から押圧することで、液晶セル１を確実に液晶セル支持枠２内壁部の鍔部２ｃに密着させることができ、より確実に液晶セル１を液晶セル支持枠２に固定することが可能となる。
【００２３】
以上説明したように、本発明の要旨は、液晶セルの導電ゴムと対向する側の端部下面に鍔部を設けて液晶セルを確実に液晶セル支持枠内に固定することであり、鍔部の形状や形成位置などは、上記のような実施例に限定されるものではない。
【図面の簡単な説明】
【００２４】
【図１】本発明による時計の液晶セル支持構造を示す要部断面図（実施例１）
【図２】本発明による時計の液晶セル支持構造を示す要部断面図（実施例２）
【図３】従来技術による時計の液晶セル支持構造を示す要部断面図
【符号の説明】
【００２５】
１    液晶セル
１ａ  上側基板
２    液晶セル支持枠
２ａ  庇部（第一の庇部）
２ｂ  庇部（第二の庇部）
２ｃ  鍔部
２ｄ  傾斜面
３    導電ゴム
４    複合回路
５    スペーサー
６    液晶セル押え板
６ａ  液晶セル押え板の一端部
６ｂ  フック部
７    電池支持枠
７ａ  突起部
【図１】
2005283505.tif 000003
【図２】
2005283505.tif 000004
【図３】
2005283505.tif 000005